(57)【特許請求の範囲】
【請求項１】
パチンコ機の前面枠の前面側に設けられた打球供給皿のパチンコ球を裏面側に導き出す球通路と、該球通路の先頭のパチンコ球を一個ずつ発射レールの発射部に供給する球送り部材とを備えた打球供給装置を設けたパチンコ機であって、
前記球送り部材の側方に位置する球通路の終端部分の底面を開設して球抜口を設け、常には球抜口を閉鎖し、球抜き操作によって球抜口を開放する位置とに移動自在な開閉板を有する球抜部材を設けると共に、球抜口に球抜通路を連設し、
前記球抜部材には、前記球通路の上方に出入りするガイド片と、前記球送り部材の上方に出入りする押片部とを設け、球抜き操作をすると前記ガイド片が前記球通路内のパチンコ球に接触し、次いで前記押片部が球送り部材上面に載置されたパチンコ球に接触するようにしたことを特徴とするパチンコ機。
【発明の詳細な説明】
【０００１】
【発明の属する技術分野】
本発明は、パチンコ機の前面枠の前面側に設けられた打球供給皿のパチンコ球を１個づつ発射レールの発射部に供給する打球供給装置を設けてなるパチンコ機に関し、特に、打球供給皿のパチンコ球が球詰りを起こさず球抜通路に球抜きすることができるようなパチンコ機に関するものである。
【０００２】
【従来の技術】
従来のパチンコ機においては、図１１に示すように打球供給皿１００のパチンコ球を裏面側に設けられた打球供給装置１０１の球通路１０２に導いて球送り部材１０３により１個づづ発射レールの発射部に供給するようにされている。一方、球通路１０２の底部には球抜口１０４が開設されると共に、該球抜口１０４に開閉板１０５が配置されており、該開閉板１０５を移動させて球抜口１０４を解放することにより打球供給皿１００のパチンコ球を球抜通路１０６に抜き取ることができるようになっている。
【０００３】
【発明が解決しようとする課題】
ところで、上記したパチンコ機にあっては、球通路１０２がパチンコ球の直径より若干大きく形成されて遊びがあるため、打球供給皿１００のパチンコ球を球通路１０２の底部の球抜口１０４から球抜通路１０６へ抜き取る際に、球通路１０２のパチンコ球に球圧が掛かると図１１鎖線に示すようにパチンコ球が持ち上がりアーチ状にバランスがとれて球抜口１０４を開口してもパチンコ球が抜き取られないでそのまま残されてしまうという問題点があった。そして、残されたパチンコ球を抜き取るためには、例えば何度も球抜操作を繰り返して振動を与えたりしなければならず、遊技者に面倒な操作を行わせる必要があった。
【０００４】
そこで本発明は、打球供給皿のパチンコ球を抜き取る際に球詰りを起こさず球抜通路へ回収することができるようにしたパチンコ機を提供することを目的としている。
【０００５】
【課題を解決するための手段】
上記目的を達成するために、本発明にかかるパチンコ機は、パチンコ機の前面枠の前面側に設けられた打球供給皿のパチンコ球を裏面側に導き出す球通路と、該球通路の先頭のパチンコ球を一個ずつ発射レールの発射部に供給する球送り部材とを備えた打球供給装置を設けたパチンコ機であって、前記球送り部材の側方に位置する球通路の終端部分の底面を開設して球抜口を設け、常には球抜口を閉鎖し、球抜き操作によって球抜口を開放する位置とに移動自在な開閉板を有する球抜部材を設けると共に、球抜口に球抜通路を連設し、前記球抜部材には、球抜き操作によって球通路に入り込んで球通路のパチンコ球を球抜通路へ誘導するガイド片を設けて構成した。
【０００６】
前記打球供給装置の球送り部材は、球通路の先頭に位置するパチンコ球を受け止めて待機させる球止部と、上方に回動することにより球止部で受止められたパチンコ球を受け入れ、かつ下方への回動によって受け入れたパチンコ球を発射レールの発射位置に供給する球受部とを一体に設けて構成するのが好ましい。
【０００７】
また、前記球抜部材のガイド片は、これの下面を球抜口に向けて傾斜する傾斜面として形成し、確実に球抜口へ案内するようにするのが好ましい。
【０００８】
さらに、前記球抜部材の開閉板は、球通路の底部を兼ねるようにし、開閉板の移動と共に球通路のパチンコ球が動くようにするのが好ましい。
【０００９】
上記のように構成されたパチンコ機における打球供給皿の球抜装置は、球抜き操作によって球抜部材を球抜口を開放する位置に移動させると、ガイド片が球通路に突入し、球通路を流下するパチンコ球を球抜口から球抜通路へ案内する。これによって打球供給皿及び打球供給装置の球通路のパチンコ球を球詰りさせることなく確実に抜き取ることができると共に、打球供給装置の球送り部材にパチンコ球が当らないようにすることができるので球送り部材が損傷するのを防止することができる。
【００１０】
【発明の実施の形態】
本発明の実施の形態を図面に基づいて説明する。図１は本発明に係るパチンコ機の正面図、図２はガラス扉枠及び前面板を開放して示すパチンコ機の下部部分の斜視図である。図において１はパチンコ機の前面枠、２は前面枠１の後面に着脱自在に装着された遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス扉枠７と共に前面枠１の一側に開閉自在に装着されている。前記前面板６の表面には打球供給皿８が設けられている。また、前面枠１の下部前面には打球供給皿８の余剰球を貯留する下部貯留皿９と発射部５から発射されるパチンコ球の弾発力を調整する操作ハンドル１０が設けられている。
【００１１】
前記打球供給皿８は、図３に示すように、本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩やかに下り傾斜しその傾斜下部にパチンコ球が一列に整列する整流部１６が形成されており、該整流部１６の下流端が位置する前面板６には皿部１３のパチンコ球を前面板６の裏側に流出させる上部通孔１７が開設されている。また、前面板６には側板部１５に形成された球抜通路部１８に連通する下部通孔１９が開設されている。
【００１２】
一方、前面板６の裏面には打球供給装置２０が配設される。該打球供給装置２０は、打球供給皿８に貯留されるパチンコ球を前面板６の上部通孔１７から１個ずつ発射レール３の発射位置５に供給するためのもので、ケース体２１と球送り部材２２とで構成される。
【００１３】
ケース体２１は、図４に示すように、前面板６に開設された上部通孔１７に合致する流入口２３が設けられ、前面が開口して前記流入口２３と連通するパチンコ球の直径より若干大きく形成された球通路２４が形成された中空状の箱状体２５ａと、該箱状体２５ａの開放側面を塞ぎ、かつ発射レール３の発射部５に対応する供給口２６を開設したカバー体２５ｂとに二分割して形成し、これら箱状体２５ａとカバー体２５ｂとを互いに合体することにより一体化される。
【００１４】
前記球送り部材２２は、図４ないし図６に示すように、両側部に発射レール３と平行な回動支軸２７，２７が一体に突設されており、該回動支軸２７，２７を箱状体２５ａに形成された軸受凹部２８，２８に嵌めて上下に回動自在に支持され、かつ自然状態では図６（イ）に示すように下方に回動するように重心が置かれている。
【００１５】
また球送り部材２２は、図６（イ）に示す下向き回動時、流入口２３から球通路２４に導かれた先頭のパチンコ球Ｂを受けて落下を阻止する球止部２９と、図６（ロ）に示す上向き回動時に球止部２９で受止められたパチンコ球Ｂを受け入れて保持し、かつ下方へ回動することによりパチンコ球Ｂを供給口２６から発射レール３の発射部５へ送り出す半円状の球受部３０と、前記回動支持軸２７，２７と平行であり、かつケース体２１の外方へ突出する係合ピン３１とを一体に有して構成される。
【００１６】
なお、前記係合ピン３１は、図５に示すように、発射レール３の下方であり、かつ遊技盤２の前面側に軸３２で回動自在に軸支された連動バー３３の押上部３４に当接可能なようになっている。また、連動レバー３３は押上部３４の一端から下方に垂下するレバー部３５を一体に備え、このレバー部３５が打球杆４に固着された引掛杆３６と係合可能なように位置されている。
【００１７】
本発明に係る球抜機構は、前記打球供給装置２０のケース体２１に設けられている。該ケース体２１は、図５に示すように、箱状体２５ａに流入口２３と連通状に長溝３７ａ（図５の右側）及びガイド孔３７ｂ（図５の左側）が設けられ、球通路２４の終端に前記長溝３７ａと合致して開設する球抜口３８を設けている。また、該球抜口３８下方には球抜口３８から落下するパチンコ球を受けて下部通口１９に流出させる球抜通路３９が形成される。
【００１８】
前記球抜口３８には球抜部材４０が設けられ、該球板部材４０の一方端に球通路２４の底部となり、かつ球抜口３８を開閉する開閉板４１が設けられている。この球抜部材４０は、図３に示すように、摺動軸部４０ａを一体に備えており、該摺動軸部４０ａは打球供給皿８の側板部１５に形成された箱状のガイド枠４２に左右方向へ往復移動自在に支持される。前面板６には前記箱状体２５ａの長溝３７ａとガイド孔３７ｂに合致するガイド長孔４３が上部通孔１７と連通状に開設され、球抜部材４０の開閉板４１を前記ガイド長孔４３及び長溝３７ａから球通路２４の底面に開設する球抜口３８へ臨ませて該球抜口３８を開閉自在にする。
【００１９】
しかして、前記球抜部材４０には打球供給装置２０の球送り部材２２の球止部２９上方に出入り自由な押片部４４と球通路２４に出入り自由なガイド片４５とが一体に設けられている。この押片部４４は前面板６に開設されたガイド長孔４３及び箱状体２５ａのガイド孔３７ｂから箱状体２５ａ中に臨ませて、図７（イ）に示すように、球抜部材４０が球抜口３８を閉じる位置に付勢されているときは打球供給装置２０の側方に位置し、球抜部材４０が球抜口３８を解放する位置に移動すると、図７（ロ）に示すように、球送り部材２２の上面に突入して球止部２９上面に待機するパチンコ球Ｂを球通路２４から球抜口３８へ押し出して球抜通路３９へ落下させるようになっている。
【００２０】
またガイド片４５は、下面が球抜通路３７に向けて傾斜する傾斜面として形成されている。そして前面板６に開設されたガイド長孔４３及びガイド孔３７ｂから箱状体２５ａ中に臨ませて、図７（イ）に示すように、球抜部材４０が球抜口３８を閉じる位置に付勢されているときは打球供給装置２０の側方に位置し、球抜部材４０が球抜口３８を解放する位置に移動すると、図７（ロ）に示すように、球通路２４内上方に突入して球通路２４の遊びをなくすと共に、球通路２４を流下するパチンコ球を球抜通路３９へ誘導して落下させるようになっている。このため球通路２４を流下する後続のパチンコ球はガイド片４５によって球抜口３８から球抜通路３９へ誘導されるので球送り部材２２に当ることなく球抜きができる。
【００２１】
一方、打球供給皿８の側板部１５の前面には、図３及び図９に示すように、球抜部材４０を球抜操作するためのＩ字形をなすレバー部材４６が軸４７により揺動自在に軸支され、該レバー部材４６には長孔４８が穿設されて該長孔４８に球抜部材４０の前側面に突設した突起４９を臨ませている。また、レバー部材４６にはコイルばね５０が連結されており、常に球抜部材４０を図９実線のように付勢し、開閉板４１で球抜口３８を閉じるようにしている。
【００２２】
前記操作部材５１は、基端部を軸５２により上下方向に回動自在に軸支されると共に、操作部材５１下面に設けた腕部５３をレバー部材４６の側面に接触状に位置して、押圧部５４を打球供給皿８の飾板部１４に開設した透孔５５から上方に突き出させて設置し、該操作部材５１の押圧部５４を押圧してレバー部材４６を図９鎖線のように回動することによって、球抜部材４０の開閉板４１を球抜口３８を解放する位置に移動させることができるようになっている。
【００２３】
次に、このように構成したパチンコ機の作用を説明する。打球供給皿８に貯留されるパチンコ球は整流部１６によって一列に整流されながら前面板６の上部通孔１７から流入口２３を経てケース体２１の球通路２４に流入する。そして、図５，図６（イ）及び図８に示すように、球通路２４の最先端部のパチンコ球Ｂは球送り部材２２の球止部２９上面で受け止められて待機する。
【００２４】
この状態で打球杆４が図５鎖線のように発射準備位置に回動されると、引掛杆３６によって連動レバー３３のレバー部３５が引寄せられて該連動レバー３３が軸３２を支点として上方へ回動し、これの押上部３４が球送り部材２２の係合ピン３１を上方へ押し上げる。このため、球送り部材２２が回動支軸２７，２７を支点として図６（ロ）のように上方へ回動して球送り部材２２の球止部２９上面で待機していたパチンコ球Ｂは下方へ落下して球受部３０に受け入れられる。
【００２５】
そして、打球杆４が図５実線のように発射動作位置に回動すると球送り部材２２は連動レバー３３による係合ピン３１が押し上げ解除されて自重とパチンコ球Ｂの重量で図６（ロ）鎖線のように下方に回動し、球受部３０のパチンコ球Ｂを供給口２６から発射レール３の発射部５に送り出す。同時に後続する球通路２４の最先端部のパチンコ球Ｂ１を球送り部材２２の球止部２９上面で受け止めて待機させる。その後は打球杆４の往復回動毎に球通路２４の最先端部のパチンコ球が一個ずつ確実に発射レール３の発射部５に供給される。
【００２６】
しかして、打球供給皿８内のパチンコ球を下部貯留皿９へ抜き取るには、操作部材５１の押圧部５４を図９鎖線のように押圧してレバー部材４６をコイルばね５０の付勢に抗して回動させる。これによって、球抜部材４０がレバー部材４６の長孔４８に係合する突起４９を介して同図矢印方向に移動し図７（ロ）に示すように開閉板４１が球抜口３８を解放すると共に、ガイド片４５が球通路２４内上方に突入する。このため、球抜部材４０の開閉板４１上のパチンコ球は、開閉板４１の動きにあわせて移動しようとしながら球抜口３８から落下し、続いて打球供給皿８内のパチンコ球は球通路２４を通過してガイド片４５に誘導されて図８に示すように確実に球抜口３８から球抜通路３９、前面板６の下部通孔１９を経て球抜通路部１８に流出し、さらに前面板６に開設した流出口５６から遊技盤２前面のシュート５７を通って下部貯留皿９に排出される。
【００２７】
また、打球供給装置２０に導かれて球送り部材２２の球止部２９上面に残されているパチンコ球Ｂは、図７（ロ）に示すように、球抜部材４０の押片部４４によって球通路２４から球抜口３８に押されて落下し、打球供給皿８内のパチンコ球と同じように下部貯留皿９に排出される。
【００２８】
そして、打球供給皿８内のパチンコ球を下部貯留皿９に抜き取った後、操作部材５１の押圧を解除すると、コイルばね５０の付勢によってレバー部材４６が元の状態に復帰し、同時に球抜部材４０の開閉板４１も図７（イ）に示す位置に移動して球抜口３８を閉鎖する。同時にガイド片４５を球通路２４から後退させて打球供給皿８のパチンコ球を球送り部材２２に受け入れ可能とする。
【００２９】
以上のように、球通路２４のパチンコ球に球圧が掛かって、球通路２４内でアーチ状にバランスがとれて球詰りが起こったとしても、ガイド片４５によってパチンコ球のバランスを崩すと共に、後続のパチンコ球を球詰りを起こさず球抜口３８に確実に誘導することができる。
【００３０】
また、本実施の形態の打球供給装置２０は、球通路２４の先端のパチンコ球を球送り部材２２の上面の球止部２９で受止めるようにしているが、図１０に示すように球送り部材２２ａの側面の球止部２９ａで先端のパチンコ球を受止めるようにした打球供給装置２０ａを備えたパチンコ機においても、たとえば図１０一点鎖線で示すように球圧が掛かって球詰りが起こったとしても、同図二点鎖線に示すように球抜きの際にはガイド片４５がパチンコ球のバランスを崩して球詰りを起さず球抜通路３９に導かれ、前記実施の形態と同様の効果が得られる。
【００３１】
【発明の効果】
本発明は上記のような構成であるから、打球供給皿のパチンコ球は球通路に突入するガイド片によって球抜口から下部貯留皿へ抜き取るようにしたことにより、球通路内で球詰りを起こすことなく確実にパチンコ球を抜き取って下部貯留皿へ排出することができる。
【００３２】
従って、本発明において打球供給皿のパチンコ球を抜き取る際に球詰りを起こすことがないので、従来パチンコ機のようにパチンコ球を球抜通路に回収するために何度も球抜操作を繰り返して振動を与えるような面倒な操作を不要とすることができ、遊技者のサービス向上を図れる利点がある。
【００３３】
また、ガイド片によって球通路のパチンコ球を球抜通路に誘導するようにしたので球抜きされるパチンコ球が球送り部材に当ることはなく、球送り部材が損傷するのを確実に防止することができる。
【図面の簡単な説明】
【図１】本発明にかかるパチンコ機の正面図である。
【図２】ガラス扉枠及び前面板を解放した状態を示すパチンコ機の下部斜視図である。
【図３】打球供給皿の分解斜視図である。
【図４】打球供給装置の分解斜視図である。
【図５】打球供給装置の断面正面図である。
【図６】打球供給装置の作用を説明する断面側面図で、（イ）は球送り部材が下向回動した状態を示し、（ロ）は球送り部材が上向きに回動した状態の断面図である。
【図７】打球供給装置の断面図で、（イ）は球抜口を閉鎖して示し、（ロ）は球抜口を解放した状態を示す断面図である。
【図８】球抜口と下部貯留皿との関連構成を示す要部の断面側面図である。
【図９】球抜き操作部部分を組み立てて示す要部正面図である。
【図１０】他の実施の形態を示す断面正面図である。
【図１１】従来技術の説明図である。
【符号の説明】
１      前面枠
３      発射レール
５      発射部
８      打球供給皿
２０    打球供給装置
２２    球送り部材
２４    球通路
２９    球止部
３０    球受部
３８    球抜口
３９    球抜通路
４０    球抜部材
４１    開閉板
４５    ガイド片
【図１】
0004139458.tif 000002
【図２】
0004139458.tif 000003
【図３】
0004139458.tif 000004
【図４】
0004139458.tif 000005
【図５】
0004139458.tif 000006
【図６】
0004139458.tif 000007
【図７】
0004139458.tif 000008
【図８】
0004139458.tif 000009
【図９】
0004139458.tif 000010
【図１０】
0004139458.tif 000011
【図１１】
0004139458.tif 000012